(57)【要約】  本実施形態に係る通信制御方法では、オフ対象セルが、自セルをオフする前に、ユーザ端末から受信したメジャメントレポートに基づいて、前記オフ対象セルのカバレッジを補填する複数の補填セルの中から、前記ユーザ端末のために予めリソースを確保させるためのリソース確保通知の送信先となる少なくとも１つのセルを決定する。
2015141726.tif 000002
【特許請求の範囲】
【請求項１】
オフ対象セルが、自セルをオフする前に、ユーザ端末から受信したメジャメントレポートに基づいて、前記オフ対象セルのカバレッジを補填する複数の補填セルの中から、前記ユーザ端末のために予めリソースを確保させるためのリソース確保通知の送信先となる少なくとも１つのセルを決定する通信制御方法。
【請求項２】
前記オフ対象セルが、前記メジャメントレポートを送信させるためのトリガを設定させる測定設定情報を、前記オフ対象セルに接続する前記ユーザ端末に送信し、
前記オフ対象セルが、前記測定設定情報に基づいて測定設定を行った前記ユーザ端末から送信された前記メジャメントレポートを受信する請求項１に記載の通信制御方法。
【請求項３】
前記トリガは、前記オフ対象セル以外のセルから送信された無線信号の測定値が閾値よりもよくなることである請求項２に記載の通信制御方法。
【請求項４】
前記測定設定情報は、前記複数の補填セルのそれぞれに対応付けられたオフセット値からなる複数のオフセット値を示す情報を含み、
前記オフセット値は、対応付けられた補填セルについての前記トリガを調整するための値である請求項２に記載の通信制御方法。
【請求項５】
前記オフセット値は、前記対応付けられた補填セルが前記オフ対象セルのカバレッジを補填する補填割合に応じて決定される請求項４に記載の通信制御方法。
【請求項６】
前記オフ対象セルが、前記複数の補填セルのそれぞれに設定された送信電力に関する設定情報を、前記複数の補填セルのそれぞれから受信し、
前記オフ対象セルが、前記設定情報に基づいて、前記複数のオフセット値のそれぞれの値を決定する請求項４に記載の通信制御方法。
【請求項７】
前記オフ対象セルが、ネットワーク装置から送信された前記複数のオフセット値のそれぞれの値を示す情報を受信し、
前記ネットワーク装置は、前記オフ対象セルのカバレッジを補填するために前記複数の補填セルのそれぞれに設定された送信電力に関する設定情報を送信するものである請求項４に記載の通信制御方法。
【請求項８】
オフ対象セルがオフされる前に、ユーザ端末から受信したメジャメントレポートに基づいて、前記オフ対象セルのカバレッジを補填する複数の補填セルの中から、前記ユーザ端末のために予めリソースを確保させるためのリソース確保通知の送信先となる少なくとも１つのセルを決定する制御部を備える基地局。
【請求項９】
前記メジャメントレポートを送信させるためのトリガを設定させる測定設定情報を、前記オフ対象セルに接続するユーザ端末に送信する送信部と、
前記測定設定情報に基づいて測定設定を行った前記ユーザ端末から、前記メジャメントレポートを受信する受信部と、をさらに備える請求項８に記載の基地局。
【請求項１０】
オフ対象セルに対してメジャメントレポートを送信する送信部と、
当該メジャメントレポートに基づいて、前記オフ対象セルによって、前記オフ対象セルのカバレッジを補填する複数の補填セルの中から決定された少なくとも１つのセルに接続する制御部と、を備え、
前記オフ対象セルは、自セルの送信電力を低下させることによって、自セルの配下のユーザ端末との接続を切断する予定のセルであるユーザ端末。
【発明の詳細な説明】
【技術分野】
【０００１】
本発明は、移動通信システムにおいて用いられる通信制御方法、基地局及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降において、高度化されたエナジーセービング技術が導入される予定である（例えば、非特許文献１参照）。例えば、一のセル（以下、「オフ対象セル」という）がオフ（Ｄｅａｃｔｉｖａｔｅ）される場合に、近隣の他セル（以下、「補填セル」という）の送信電力が上昇する。これにより、補填セルのカバレッジが拡張（カバレッジ拡張）し、オフ対象セルのカバレッジを補填（すなわち、エリア補填）することができる。【０００３】
ここで、オフ対象セルと接続していたユーザ端末は、オフ対象セルがオフされる際に、オフ対象セルとの接続が切断されるため、補填セルとの接続を確立する。この場合において、オフ対象セルが、オフされる前に、補填セルとハンドオーバ準備手順を行い、ユーザ端末が、オフ対象セルとの接続が切断された後にハンドオーバ準備手順を行った補償セルに対してＲＲＣ再確立（ＲＲＣ  Ｒｅ−ｅｓｔａｂｌｉｓｈｍｅｎｔ）を実行するという方法がある。【０００４】
ハンドオーバ準備手順は、オフ対象セルが、オフ対象セルと接続していたユーザ端末のために予めリソースを確保させるためのリソース確保通知を補償セルに送信する処理と、補償セルが、受信したリソース確保通知に基づいて、ユーザ端末のリソースを確保する処理と、を含む。
【先行技術文献】
【非特許文献】
【０００５】
【非特許文献１】３ＧＰＰ技術報告書  「ＴＲ  ３６．８８７  Ｖ０．２．０」  ２０１４年３月１０日
【発明の概要】
【０００６】
複数の補填セルがエリア補填を行う場合、オフ対象セルは、オフされる前に、複数の補填セルの中からリソース確保通知を送信する１つのセルを選択することが想定される。しかしながら、この場合、ユーザ端末が、リソース確保通知を受信した補償セルに対してＲＲＣ再確立を実行するとは限らないため、補償セルが確保したリソースが無駄になるとともに、ユーザ端末は、補償セルと迅速に接続を確立することができない虞がある。
【０００７】
一方で、オフ対象セルが、複数の補填セルの全てにリソース確保通知を送信した場合、ユーザ端末がＲＲＣ再確立を実行しない補償セルが確保したリソースが無駄になる可能性がある。
【０００８】
そこで、一実施形態は、オフ対象セルがオフされた後にユーザ端末が補償セルに接続する場合において、複数の補償セルの中からユーザ端末のために予めリソースを確保させる補償セルを適切に決定可能な通信制御方法、基地局及びユーザ端末を提供することを目的とする。
【０００９】
一実施形態に係る通信制御方法では、オフ対象セルが、自セルをオフする前に、ユーザ端末から受信したメジャメントレポートに基づいて、前記オフ対象セルのカバレッジを補填する複数の補填セルの中から、前記ユーザ端末のために予めリソースを確保させるためのリソース確保通知の送信先となる少なくとも１つのセルを決定する。
【００１０】
一実施形態に係る基地局は、オフ対象セルがオフされる前に、ユーザ端末から受信したメジャメントレポートに基づいて、前記オフ対象セルのカバレッジを補填する複数の補填セルの中から、前記ユーザ端末のために予めリソースを確保させるためのリソース確保通知の送信先となる少なくとも１つのセルを決定する制御部を備える。
【００１１】
一実施形態に係るユーザ端末は、オフ対象セルに対してメジャメントレポートを送信する送信部と、当該メジャメントレポートに基づいて、前記オフ対象セルによって、前記オフ対象セルのカバレッジを補填する複数の補填セルの中から決定された少なくとも１つのセルに接続する制御部と、を備える。前記オフ対象セルは、自セルの送信電力を低下させることによって、自セルの配下のユーザ端末との接続を切断する予定のセルである。
【図面の簡単な説明】
【００１２】
【図１】図１は、実施形態に係るＬＴＥシステムの構成図である。
【図２】図２は、実施形態に係るＵＥのブロック図である。
【図３】図３は、実施形態に係るｅＮＢのブロック図である。
【図４】図４は、実施形態に係る無線インターフェイスのプロトコルスタック図である。
【図５】図５は、実施形態に係るＬＴＥシステムで使用される無線フレームの構成図である。
【図６】図６は、実施形態に係る高度化されたＥＳ技術を説明するための図である。
【図７】図７は、実施形態に係る動作環境を説明するための説明図である。
【図８】図８は、実施形態に係る動作シーケンスを示すシーケンス図である。
【発明を実施するための形態】
【００１３】
［実施形態の概要］
実施形態に係る通信制御方法では、オフ対象セルが、自セルをオフする前に、ユーザ端末から受信したメジャメントレポートに基づいて、前記オフ対象セルのカバレッジを補填する複数の補填セルの中から、前記ユーザ端末のために予めリソースを確保させるためのリソース確保通知の送信先となる少なくとも１つのセルを決定する。
【００１４】
実施形態において、前記オフ対象セルが、前記メジャメントレポートを送信させるためのトリガを設定させる測定設定情報を、前記オフ対象セルに接続する前記ユーザ端末に送信する。前記オフ対象セルが、前記測定設定情報に基づいて測定設定を行った前記ユーザ端末から送信された前記メジャメントレポートを受信する。
【００１５】
実施形態において、前記トリガは、前記オフ対象セル以外のセルから送信された無線信号の測定値が閾値よりもよくなることである。
【００１６】
実施形態において、前記測定設定情報は、前記複数の補填セルのそれぞれに対応付けられたオフセット値からなる複数のオフセット値を示す情報を含む。前記オフセット値は、対応付けられた補填セルについての前記トリガを調整するための値である。
【００１７】
実施形態において、前記オフセット値は、前記対応付けられた補填セルが前記オフ対象セルのカバレッジを補填する補填割合に応じて決定される。
【００１８】
実施形態において、前記オフ対象セルが、前記複数の補填セルのそれぞれに設定された送信電力に関する設定情報を、前記複数の補填セルのそれぞれから受信する。前記オフ対象セルが、前記設定情報に基づいて、前記複数のオフセット値のそれぞれの値を決定する。
【００１９】
実施形態において、前記オフ対象セルが、ネットワーク装置から送信された前記複数のオフセット値のそれぞれの値を示す情報を受信する。前記ネットワーク装置は、前記オフ対象セルのカバレッジを補填するために前記複数の補填セルのそれぞれに設定された送信電力に関する設定情報を送信するものである。
【００２０】
実施形態に係る基地局は、オフ対象セルがオフされる前に、ユーザ端末から受信したメジャメントレポートに基づいて、前記オフ対象セルのカバレッジを補填する複数の補填セルの中から、前記ユーザ端末のために予めリソースを確保させるためのリソース確保通知の送信先となる少なくとも１つのセルを決定する制御部を備える。
【００２１】
実施形態において、前記メジャメントレポートを送信させるためのトリガを設定させる測定設定情報を、前記オフ対象セルに接続するユーザ端末に送信する送信部と、前記測定設定情報に基づいて測定設定を行った前記ユーザ端末から、前記メジャメントレポートを受信する受信部と、をさらに備える。
【００２２】
実施形態において、オフ対象セルに対してメジャメントレポートを送信する送信部と、当該メジャメントレポートに基づいて、前記オフ対象セルによって、前記オフ対象セルのカバレッジを補填する複数の補填セルの中から決定された少なくとも１つのセルに接続する制御部と、を備える。前記オフ対象セルは、自セルの送信電力を低下させることによって、自セルの配下のユーザ端末との接続を切断する予定のセルである。
【００２３】
［実施形態］
以下において、本発明をＬＴＥシステムに適用する場合の実施形態を説明する。
【００２４】
（システム構成）
図１は、実施形態に係るＬＴＥシステムの構成図である。
【００２５】
図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２６】
ＵＥ１００は、ユーザ端末に相当する。ＵＥ１００は、移動型の通信装置であり、セル（サービングセル）との無線通信を行う。ＵＥ１００の構成については後述する。
【００２７】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２８】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００２９】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ（Ｏｐｅｒａｔｉｏｎ  ａｎｄ  Ｍａｉｎｔｅｎａｎｃｅ）４００とを含む。
【００３０】
ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３１】
ＯＡＭ４００は、オペレータによって管理されるサーバ装置であり、Ｅ−ＵＴＲＡＮ１０の保守及び監視を行う。
【００３２】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）を、制御部を構成するプロセッサ１６０’としてもよい。
【００３３】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００３４】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３５】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３６】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。また、メモリ２３０をプロセッサ２４０と一体化し、このセット（すなわち、チップセット）を、制御部を構成するプロセッサ２４０’としてもよい。
【００３７】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００３８】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３９】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４０】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４１】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４２】
ＭＡＣ層は、データの優先制御、ハイブリッドＡＲＱ（ＨＡＲＱ）による再送処理、及びＲＲＣ接続確立時のランダムアクセス手順などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００４３】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４４】
ＰＤＣＰ層は、ヘッダ圧縮・伸張、及び暗号化・復号化を行う。
【００４５】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００４６】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４７】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４８】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。ＵＥ１００に割り当てられる無線リソース（時間・周波数リソース）のうち、周波数リソースはリソースブロックにより特定でき、時間リソースはサブフレーム（又はスロット）により特定できる。
【００４９】
下りリンクにおいて、各サブフレームの先頭数シンボルの区間は、主に制御信号を伝送するための物理下りリンク制御チャネル（ＰＤＣＣＨ）として使用される領域である。また、各サブフレームの残りの区間は、主にユーザデータを伝送するための物理下りリンク共有チャネル（ＰＤＳＣＨ）として使用できる領域である。
【００５０】
上りリンクにおいて、各サブフレームにおける周波数方向の両端部は、主に制御信号を伝送するための物理上りリンク制御チャネル（ＰＵＣＣＨ）として使用される領域である。各サブフレームにおける他の部分は、主にユーザデータを伝送するための物理上りリンク共有チャネル（ＰＵＳＣＨ）として使用できる領域である。
【００５１】
（ＥＳの概要）
実施形態に係るＬＴＥシステムには、高度化されたエナジーセービング（ＥＳ）技術（Ｅｎｅｒｇｙ  Ｓａｖｉｎｇ  Ｅｎｈａｎｃｅｍｅｎｔ）が導入される。
【００５２】
高度化されたＥＳ技術では、省電力化のためにオフされるオフ対象セルと、オフ対象セルをオフする場合に当該オフ対象セルのカバレッジを補填する補填セルと、の組み合わせが設定される。以下において、オフ対象セルを「ＥＳセル（Ｅｎｅｒｇｙ  Ｓａｖｉｎｇ  Ｃｅｌｌ）」と称し、補填セルを「Ｃセル（Ｃｏｍｐｅｎｓａｔｉｏｎ  Ｃｅｌｌ）」と称する。
【００５３】
図６は、本実施形態に係る高度化されたＥＳ技術を説明するための図である。図６（左図）に示すように、ｅＮＢ２００−１は、ＥＳセル２５０−１を管理する。ｅＮＢ２００−２、ｅＮＢ２００−３及びｅＮＢ２００−４は、ｅＮＢ２００−１の近隣ｅＮＢである。ｅＮＢ２００−２は、Ｃセル２５０−２を管理し、ｅＮＢ２００−３は、Ｃセル２５０−３を管理し、ｅＮＢ２００−４は、Ｃセル２５０−４を管理する。Ｃセル２５０−２〜Ｃセル２５０−４のそれぞれは、ＥＳセル２５０−１の近隣セル（Ｎｅｉｇｈｂｏｒ  ｃｅｌｌ）である。ｅＮＢ２００−２、ｅＮＢ２００−３及びｅＮＢ２００−４のそれぞれは、少なくともｅＮＢ２００−１とＸ２インターフェイスを介した通信ができる。
【００５４】
なお、ＵＥは、ｅＮＢではなくセルを認識しているため、以下において、ｅＮＢ２００−１の動作をＥＳセル２５０−１の動作として説明し、ｅＮＢ２００−２〜ｅＮＢ２００−４のそれぞれの動作を、Ｃセル２５０−２〜Ｃセル２５０−４のそれぞれの動作として説明することがある。
【００５５】
ＥＳセル２５０−１がオフされる場合に、ＥＳセル２５０−１にＲＲＣ接続しているＵＥが、複数のＣセル（ｅＮＢ２００−２〜ｅＮＢ２００−４）のいずれかに迅速にＲＲＣ接続するために、以下の処理が行われる。
【００５６】
第１に、ＥＳセル２５０−１は、複数のＣセルのいずれかに対して、ハンドオーバ準備手順を開始する。
【００５７】
ハンドオーバ準備手順は、ｅＮＢ２００−１（ＥＳセル２５０−１）が、ＥＳセル２５０−１とＲＲＣ接続していたＵＥのためにハンドオーバ先候補となるｅＮＢ（セル）に予めリソースを確保させるためのリソース確保通知をＣセル（例えば、Ｃセル２５０−２）に送信する処理と、リソース確保通知を受信したｅＮＢ２００−２（Ｃセル２５０−２）が、受信したリソース確保通知に基づいて、ＵＥのためのリソースを確保する処理と、を含む。なお、リソース確保通知は、ＲＲＣ接続していたＵＥのＵＥコンテキスト情報を含む。
【００５８】
第２に、ＥＳセル２５０−１は、オフされ、複数のＣセルのカバレッジが拡張する。
【００５９】
具体的には、Ｃセル２５０−２の送信電力が設定値まで上昇する。これにより、Ｃセル２５０−２のカバレッジは、ＥＳセル２５０−１のカバレッジの一部を覆うように拡張する（図６（右図）参照）。また、Ｃセル２５０−３及びＣセル２５０−４のそれぞれは、Ｃセル２５０−２と同様に、ＥＳセル２５０−１のカバレッジの一部を覆うように拡張する。一方で、ＥＳセル２５０−１の送信電力が低下し、ＥＳセル２５０−１がオフされる。
【００６０】
第３に、ＥＳセル２５０−１に接続していたＵＥは、ＥＳセル２５０−１のオフによって、ＥＳセル２５０−１との接続が切断される。従って、当該ＵＥは、ハンドオーバに失敗する。
【００６１】
第４に、ハンドオーバに失敗したＵＥは、リソース確保通知を受信したＣセルに対してＲＲＣ再接続を実行する。Ｃセルは、ＵＥコンテキスト情報を保持しているため、ＲＲＣ再接続が成功する。さらに、Ｃセルは、ＵＥのためのリソースを確保しているため、迅速にＲＲＣ接続を確立できる。
【００６２】
しかしながら、本実施形態のように、複数のＣセルがエリア補填を行うことによって、カバレッジホールの発生を防ぐケースでは、ＥＳセル２５０−１に接続しているＵＥが、複数のＣセルのいずれのＣセルに対してＲＲＣ再接続を実行するか分からない。従って、ＥＳセル２５０−１は、ＵＥがＲＲＣ再接続を実行しないＣセルに対して、ハンドオーバ準備手順を開始する虞がある。
【００６３】
一方で、ＥＳセル２５０−１が、複数のＣセルの全てに対して、ハンドオーバ準備手順を開始した場合、ＵＥがＲＲＣ再接続を実行しないＣセルが確保したリソースが無駄になる。
【００６４】
このような問題を回避するため、以下に示すように、ｅＮＢ２００−１（ＥＳセル２５０−１）は、ＵＥからのメジャメントレポートに基づいて、リソース確保通知の送信先となるＣセルを決定する。
【００６５】
（動作シーケンス）
図７は、実施形態に係る動作環境を説明するための説明図である。図８は、実施形態に係る動作シーケンスを示すシーケンス図である。図７に示すように、ＵＥ１００は、ｅＮＢ２００−１（すなわち、セル２５０−１）と接続している。その他の構成は、上述の説明と同様の構成である。
【００６６】
図８に示すように、ステップＳ１０１において、ｅＮＢ２００−１は、ＥＳセル２５０−１をオフすると決定する。ｅＮＢ２００−１は、上位のネットワーク装置（例えば、ＯＡＭ）からの要求に応じて、ＥＳセル２５０−１をオフすると決定してもよい。
【００６７】
ステップＳ１０２において、図７（左図）に示すように、ｅＮＢ２００−１は、ＥＳセル２５０−１がオフされる前にメジャメントレポート（測定報告）を送信させるための送信トリガを設定させる測定設定情報（Ｍｅａｓｕｒｅｍｅｎｔ  Ｃｏｎｆｉｇ．）をＵＥ１００に対して送信する。
【００６８】
ここで、測定設定情報は、セルと隣接セルとの受信強度を相対的に評価するために設定される通常の送信トリガであるイベントＡ３ではなく、イベントＡ４を設定させる情報を含む。イベントＡ４は、近隣セルからの無線信号の測定値（受信強度）が閾値よりもよくなったことを送信トリガとする。具体的には、以下の式によって、メジャメントレポートの送信を開始する条件が示される。
【００６９】
Ｍｎ  ＋Ｏｆｎ  ＋Ｏｃｎ  −Ｈｙｓ  ＞  Ｔｈｒｅｓｈ
Ｍｎ：オフセット値を考慮していない近隣セルからの無線信号の測定値（ＲＳＲＰの場合：単位［ｄＢｍ］／ＲＳＲＱの場合：単位［ｄＢ］）
Ｏｆｎ：近隣セルの周波数仕様オフセット値
Ｏｃｎ：近隣セルのセル仕様オフセット値
Ｈｙｓ：ヒステリシスパラメータ
Ｔｈｒｅｓｈ：閾値（Ｍｎと同じ単位）
【００７０】
従って、ＵＥ１００は、当該測定設定情報に基づいて、測定設定を行った場合、ＥＳセル２５０−１からの無線信号の受信状況によらずに、メジャメントレポート（Ｍｅａｓｕｒｅｍｅｎｔ  Ｒｅｐｏｒｔ）の送信を閾値に基づいて行うことができる。従って、ＵＥ１００は、ＥＳセル２５０−１の中央付近に位置する場合であっても、メジャメントレポートの送信を行うことができる。
【００７１】
測定設定情報は、複数のＣセルのそれぞれに対応付けられたオフセット値Ｏｃｎからなる複数のオフセット値（Ｏｃｎ２〜Ｏｃｎ４）を示す情報を含んでもよい。オフセット値Ｏｃｎは、対応付けられたＣセルについてのメジャメントレポートの送信トリガ（すなわち、送信トリガの閾値）を調整するための値である。また、オフセット値Ｏｃｎは、対応付けられたＣセルがＥＳセルのカバレッジを補填する補填割合に応じて決定される。ｅＮＢ２００−１は、ｅＮＢ２００−２〜ｅＮＢ２００−４のそれぞれから、エリア補填を行っている場合のＣセルの送信電力に関する設定情報を受信してもよい。
【００７２】
設定情報を受信したｅＮＢ２００−１は、各Ｃセルの送信電力に応じて、各Ｃセルの補填割合を決定し、複数のオフセット値を決定してもよい。具体的には、ｅＮＢ２００−１は、Ｃセルの拡張する前後の送信電力の差が大きいほど、補填割合が大きいとしてもよい。或いは、ｅＮＢ２００−１は、エリア補填後のｅＮＢ２００（Ｃセル）の送信電力又はエリア補填後のＣセルのカバレッジエリアの情報とＣセルを管理するｅＮＢ２００の位置情報とに基づいて、補填割合を決定してもよい。ｅＮＢ２００−１は、例えば、送信電力の変更割合から、Ｃセル２５０−２の補填割合が５０％、Ｃセル２５０−３の補填割合が３０％、及び、Ｃセル２５０−４の補填割合が２０％と決定することができる。ｅＮＢ２００−１は、これらの補填割合に応じて各オフセット値（Ｏｃｎ２〜Ｏｃｎ４）を決定できる。具体的には、ｅＮＢ２００−１は、補填割合が大きいほどオフセット値を大きくし、メジャメントレポートの送信トリガを満たすようにすることができる。
【００７３】
ｅＮＢ２００−１は、ＥＳセル２５０−１をオフすると決定した場合に、ｅＮＢ２００−２〜ｅＮＢ２００−４のそれぞれから受信した設定情報に基づいて、オフセット値Ｏｃｎを決定してもよいし、過去にエナジーセービングを行った場合にｅＮＢ２００−２〜ｅＮＢ２００−４のそれぞれから受信した設定情報に基づいて、オフセット値Ｏｃｎを決定してもよい。
【００７４】
或いは、ｅＮＢ２００−１は、ＯＡＭなどのネットワーク装置から、各Ｃセルの送信電力に関する設定情報を受信してもよい。例えば、ＯＡＭが、ｅＮＢ２００−１に対して、ＥＳセル２５０−１のオフの要求とともに、各設定情報を送信してもよい。
【００７５】
或いは、ｅＮＢ２００−１は、ネットワーク装置から設定情報ではなく複数のオフセット値（Ｏｃｎ）を示す情報を受信してもよい。これにより、ｅＮＢ２００−１の負荷を軽減することができる。
【００７６】
ｅＮＢ２００−１は、複数のオフセット値（Ｏｃｎ２〜Ｏｃｎ４）を示す情報を含む測定設定情報を送信できる。例えば、ｅＮＢ２００−１は、ｃｅｌｌＩｎｄｉｖｉｄｕａｌＯｆｆｓｅｔをセル毎に指定することによって、ＵＥ１００にオフセット値を通知できる。従って、ｅＮＢ２００−１は、複数のＣセルのそれぞれのｃｅｌｌＩｎｄｉｖｉｄｕａｌＯｆｆｓｅｔをＩＥとして含むＲＲＣ  ｃｏｎｎｅｃｔｉｏｎ  Ｒｅｃｏｎｆｉｇｕｒａｔｉｏｎ  ｍｅｓｓａｇｅを測定設定情報として送信できる。
【００７７】
ステップＳ１０３において、ＵＥ１００は、ｅＮＢ２００−１からの測定設定情報に基づいて、測定設定を行う。具体的には、ＵＥ１００は、イベントＡ４をメジャメントレポートの送信トリガとする測定設定を行う。また、ＵＥ１００は、測定設定情報に基づいて、各セルからの無線信号の測定を行う。
【００７８】
ステップＳ１０４において、図７（左図）に示すように、ＵＥ１００は、ＥＳセル２５０−１以外のＣセルからの無線信号の測定値が閾値よりもよくなった場合に、メジャメントレポートをｅＮＢ２００−１に送信する。
【００７９】
ステップＳ１０５において、ｅＮＢ２００−１は、ＵＥ１００からのメジャメントレポートに基づいて、複数のＣセルの中から、リソース確保通知の送信先となるＣセルを決定する。
【００８０】
具体的には、ｅＮＢ２００−１は、ＵＥ１００が送信したメジャメントレポートに対応するＣセルを、リソース確保通知の送信先となるＣセルに決定する。一方、ｅＮＢ２００は、ＵＥ１００から複数のメジャメントレポートを受信した場合、最大の測定値（最大の受信強度）に対応するＣセルをリソース確保通知の送信先となるＣセルを決定する。また、ｅＮＢ２００は、ＵＥ１００から複数のメジャメントレポートを受信した場合で、且つ、最大の測定値との差が小さい測定値に対応するＣセルが存在する場合、最大の測定値に対応するＣセルだけでなく、差が小さい測定値に対応するＣセルも、リソース確保通知の送信先となるＣセルに決定してもよい。また、ｅＮＢ２００−１は、ＥＳセル２５０−１に接続しているＵＥのうち、複数のＣセルのそれぞれからの無線信号の測定値が閾値よりも低いため、測定報告を送信しないＵＥについては、複数のＣセルの全てを送信先のＣセルに決定してもよい。
【００８１】
本実施形態において、ｅＮＢ２００−１は、リソース確保通知の送信先となるＣセルとしてＣセル２５０−４を決定したと仮定して説明を進める。
【００８２】
ステップＳ１０６において、図７（右図）に示すように、ｅＮＢ２００−１は、決定したＣセルであるＣセル２５０−４に対して、リソース確保通知を送信する。すなわち、ｅＮＢ２００−１は、Ｃセル２５０−４に対して、ハンドオーバ準備手順を開始する。
【００８３】
ステップＳ１０７〜Ｓ１０９の動作は、上述の「ＥＳの概要」における動作と同様であるため、説明を省略する。
【００８４】
以上のように、ｅＮＢ２００−１（ＥＳセル２５０−１）は、ＥＳセル２５０−１がオフされる前に、イベントＡ４を設定される測定設定情報を、ＥＳセル２５０−１に接続するＵＥ１００に送信する。ｅＮＢ２００−１は、ＵＥ１００から、メジャメントレポートを受信する。ｅＮＢ２００−１は、ＥＳセル２５０−１がオフされる前に、メジャメントレポートに基づいて、複数のＣセルの中から、リソース確保通知の送信先となるＣセル２５０−４を決定する。これにより、ＵＥ１００は、ＥＳセル２５０−１の中央付近に位置する場合、すなわち、メジャメントレポートの送信が通常はトリガされない場合であっても、メジャメントレポートを報告することができる。従って、ｅＮＢ２００−１は、メジャメントレポートに基づいて、リソース確保通知の送信先となるＣセルを適切に決定できる。
【００８５】
［その他の実施形態］
上述した各実施形態において、複数のセル（ＥＳセル２５０−１、Ｃセル２５０−２〜Ｃセル２５０−４）のそれぞれが、異なるｅＮＢ２００に属するケースを例示したが、当該複数のセルの少なくとも２つのセルが同一のｅＮＢ２００に属するケースにも、本発明は適用可能である。
【００８６】
上述した各実施形態において、ｅＮＢ２００は、ＵＥ１００にオフセット値を送信しない場合で、且つ、ＵＥ１００から複数のメジャメントレポートを受信した場合、ＵＥ１００から報告された測定値に、対応するＣセルの補填割合に応じた重み付けを行ってもよい。
【００８７】
また、上述した実施形態では、移動通信システムの一例としてＬＴＥシステムを説明したが、ＬＴＥシステムに限定されるものではなく、ＬＴＥシステム以外のシステムに本発明を適用してもよい。
【００８８】
なお、日本国特許出願第２０１４−０５９２７５号（２０１４年３月２０日出願）の全内容が、参照により、本願明細書に組み込まれている。
【産業上の利用可能性】
【００８９】
以上のように、本実施形態に係る通信制御方法及び基地局によれば、オフ対象セルがオフされた後にユーザ端末が補償セルに接続する場合において、複数の補償セルの中からユーザ端末のために予めリソースを確保させる補償セルを適切に決定できるため、移動通信分野において有用である。
【図１】
2015141726.tif 000003
【図２】
2015141726.tif 000004
【図３】
2015141726.tif 000005
【図４】
2015141726.tif 000006
【図５】
2015141726.tif 000007
【図６】
2015141726.tif 000008
【図７】
2015141726.tif 000009
【図８】
2015141726.tif 000010
【国際調査報告】
2015141726.tif 000011
2015141726.tif 000012
2015141726.tif 000013
2015141726.tif 000014